(57)【要約】【課題】印字終了後に印字物の表面にラミネートを行う定着装置について、ラミネート工程を効率良く利用することを目的とする。【解決手段】画像形成された記録媒体の画像領域部分に対して、透明保護層が全面に付着されているフィルムにより前記画像領域部分に透明保護層を定着させる定着手段と前記フィルムを搬送、逆方向に回転させる搬送手段と画像サイズにより任意の位置に画像を形成する画像形成手段により、画像形成された領域のみに定着処理を行う。【選択図】        図１
2004195849.tif 000002
【特許請求の範囲】
【請求項１】
画像形成された記録媒体における画像領域部分に対して、所定物質が全面に付着されているフィルム状の前記画像領域部分に対応した領域部分の所定物質を定着させる定着手段と、前記定着手段による定着処理にて使用済みの前記フィルム状の前記画像領域部分に対応した前記領域部分以外の他の領域部分に付着された所定物質を、前記記録媒体に後続して前記定着手段により定着処理される記録媒体の画像領域部分に対して定着させるよう、前記定着手段により再利用させる定着手段とを有することを特徴とする定着制御装置。
【請求項２】
前記定着手段は、前記フィルムを搬送する搬送手段を有し、前記搬送手段により第１の方向に前記フィルムを搬送することで、前記記録媒体に対する定着処理を行うものであり、前記定着手段は、前記搬送手段により前記フィルムを前記第一の方向とは逆方向に搬送させることで、前記定着手段による前記定着処理にて使用済みの前記フィルムを前記定着手段より再び前記定着手段により、使用させることを特徴とする請求項１記載の定着制御装置。
【請求項３】
前記定着制御装置は、画像を入力する画像入力手段と、前記画像入力手段からの画像を記録媒体に対して形成する画像形成手段と、を更に有し、前記定着手段は、前記画像形成手段により画像形成された記録媒体における画像領域部分に対して、全面に所定物質が付着されているフィルムの前記画像領域部分に対応した領域部分に付着されている所定物質を定着させることを特徴とする請求項１記載の定着制御装置を備えた画像形成装置。
【請求項４】
前記画像形成手段は、前記定着手段にて処理済みの前記記録媒体の後に、像形成すべき記録媒体に対して像形成する場合に、該記録媒体の前記定着手段による定着処理にて使用済みの前記フィルム状の前記画像領域部分に対応した前記領域部分以外の他の領域部分に付着された所定物質が存在する領域に対応した該記録媒体の領域に画像を形成する事を特徴とした請求項３記載の画像形成装置。
【請求項５】
前記定着手段により定着処理が施されたフィルムが再利用可能か否かの判別をする判別手段を有し、前記制御手段は、前記判別手段による判別結果に基づいて、前記使用済みフィルムの前記定着手段による再利用の実行可否を決定することを特徴とする請求項１記載の定着制御装置。
【請求項６】
前記判別手段は、前記記録媒体における画像形成領域のサイズを特定する情報と前記フィルム上における所定物質が付着されている所定物質領域のサイズを特定比較し、比較結果として、前記所定物質領域が前記画像領域以上である場合に、前記フィルムが再利用可能であると判断することを特徴とする請求項５記載の定着制御装置。
【請求項７】
前記判別手段による判別結果を示すデータを記憶する記憶手段を更に有し、前記記憶手段上に、前記判別手段による判別結果を示すデータとして、各フィルム毎に再利用可能か否かを示す情報を記憶させると共に、再利用可能なフィルムに関する情報として、前記定着処理にて使用していない所定物質領域が前記再利用可能なフィルム上の何れかであるかを特定する為の未使用所定物質領域情報を、記憶させる記憶手段と、を有することを特徴とする請求項６記載の定着制御装置。
【請求項８】
前記記憶媒体のひとつに書き換え可能な不揮発生メモリも含む事を特徴とする請求項７記載の定着制御装置を備えた画像形成装置。
【発明の詳細な説明】
【０００１】
【発明の属する技術分野】
本発明は、印刷後の印画物表面に所定物質を転写する定着手段を有する定着制御装置及び画像形成装置に関する。
【０００２】
【従来の技術】
インク吐出、又はインク熱転写により画像を形成するプリンタは、近年銀塩写真並みの階調数、解像度を有する高画質な画像を記録することが容易になっている。一方可視光、紫外線、オゾン、ガス等からの影響が原因となる色褪せ等の耐候性の問題、又、汚れ、濡れ等に対する耐久性の問題から、それらのプリンタから出力された印画物を長期に亘って保存するには、印画物表面上に透明保護層（所定物質）を形成（転写）する必要性がある。そこで、印刷装置と印刷後に透明保護層を形成するラミネート装置を一体化した画像形成装置が主流となりつつあり、また写真を印刷するにあたり、多種の印字サイズが要求されている。
【０００３】
【発明が解決しようとする課題】
しかしながら従来の画像形成装置においては、数種類ある画像サイズのうち小さいサイズの印字を行うと、ラミネート装置内の透明保護層が転写されず、利用されない透明保護層及び記録媒体が発生し効率的でない。本発明が解決しようとする課題は、いくつかの画像サイズの出力を行い、さらに定着を行う定着制御装置において、効率良く転写フィルム及び記録媒体を利用することである。
【０００４】
【課題を解決するための手段】
本発明に係る発明は、画像形成された記録媒体における画像領域部分に対して、所定物質が全面に付着されているフィルム状の前記画像領域部分に対応した領域部分の所定物質を定着させる定着手段と、前記定着手段による定着処理にて使用済みの前記フィルム状の前記画像領域部分に対応した前記領域部分以外の他の領域部分に付着された所定物質を、前記記録媒体に後続して前記定着手段により定着処理される記録媒体の画像領域部分に対して定着させるよう作用する。
【０００５】
以上、本発明を整理して要約すれば以下の構成に集約できる。
【０００６】
（１）画像形成された記録媒体における画像領域部分に対して、所定物質が全面に付着されているフィルム状の前記画像領域部分に対応した領域部分の所定物質を定着させる定着手段と、前記定着手段による定着処理にて使用済みの前記フィルム状の前記画像領域部分に対応した前記領域部分以外の他の領域部分に付着された所定物質を、前記記録媒体に後続して前記定着手段により定着処理される記録媒体の画像領域部分に対して定着させるよう、前記定着手段により再利用させる定着手段とを有することを特徴とする定着制御装置。
【０００７】
（２）前記定着手段は、前記フィルムを搬送する搬送手段を有し、前記搬送手段により第１の方向に前記フィルムを搬送することで、前記記録媒体に対する定着処理を行うものであり、前記定着手段は、前記搬送手段により前記フィルムを前記第一の方向とは逆方向に搬送させることで、前記定着手段による前記定着処理にて使用済みの前記フィルムを前記定着手段より再び前記定着手段により、使用させることを特徴とする前記（１）記載の定着制御装置。
【０００８】
（３）前記定着制御装置は、画像を入力する画像入力手段と、前記画像入力手段からの画像を記録媒体に対して形成する画像形成手段と、を更に有し、前記定着手段は、前記画像形成手段により画像形成された記録媒体における画像領域部分に対して、全面に所定物質が付着されているフィルムの前記画像領域部分に対応した領域部分に付着されている所定物質を定着させることを特徴とする前記（１）記載の定着制御装置を備えた画像形成装置。
【０００９】
（４）前記画像形成手段は、前記定着手段にて処理済みの前記記録媒体の後に、像形成すべき記録媒体に対して像形成する場合に、該記録媒体の前記定着手段による定着処理にて使用済みの前記フィルム状の前記画像領域部分に対応した前記領域部分以外の他の領域部分に付着された所定物質が存在する領域に対応した該記録媒体の領域に画像を形成する事を特徴とした前記（３）記載の画像形成装置。
【００１０】
（５）前記定着手段により定着処理が施されたフィルムが再利用可能か否かの判別をする判別手段を有し、前記制御手段は、前記判別手段による判別結果に基づいて、前記使用済みフィルムの前記定着手段による再利用の実行可否を決定することを特徴とする前記（１）記載の定着制御装置。
【００１１】
（６）前記判別手段は、前記記録媒体における画像形成領域のサイズを特定する情報と前記フィルム上における所定物質が付着されている所定物質領域のサイズを特定比較し、比較結果として、前記所定物質領域が前記画像領域以上である場合に、前記フィルムが再利用可能であると判断することを特徴とする前記（５）記載の定着制御装置。
【００１２】
（７）前記判別手段による判別結果を示すデータを記憶する記憶手段を更に有し、前記記憶手段上に、前記判別手段による判別結果を示すデータとして、各フィルム毎に再利用可能か否かを示す情報を記憶させると共に、再利用可能なフィルムに関する情報として、前記定着処理にて使用していない所定物質領域が前記再利用可能なフィルム上の何れかであるかを特定する為の未使用所定物質領域情報を、記憶させる記憶手段と、を有することを特徴とする前記（６）記載の定着制御装置。
【００１３】
（８）前記記憶媒体のひとつに書き換え可能な不揮発生メモリも含む事を特徴とする前記（７）記載の定着制御装置を備えた画像形成装置。
【００１４】
【発明の実施の形態】
（実施例１）
以下、図面を参照しながら本発明に係る実施の形態を説明する。
【００１５】
図１は本実施例における簡単なブロック図で、１００は画像処理ＩＣ（後述）と接続され、プリンタとコマンドのやり取り、画像データの転送等を行いプリンタに対しあらゆる指令を出すＨＯＳＴ、１０１は画像処理ＩＣを介してＨＯＳＴとコマンドのやり取りを行い、画像処理ＩＣに対してのレジスタ設定及び各モータ（後述）の制御、各センサ（後述）の読み取り、ラミネート制御部（後述）の制御等プリンタのあらゆる制御を司るＣＰＵ、１０２はＣＰＵにより制御されＨＯＳＴから転送される画像データの制御及び画像メモリ制御、ヘッド（後述）制御を行う画像処理ＩＣ、１０３は転送された画像データを蓄える画像メモリ、１０４は実際の画像データに基づきインクを吐出し画像を形成するヘッド、１０５はＣＰＵから出力されるシリアル信号を基に、主に記録紙搬送に関する各モータ制御及び各センサのＩ／Ｆを行うモータ−センサ制御部、１０６は主に記録紙搬送に関する各種モータ、１０７は記録紙の位置検出などに使われる各種センサ、１０８はＣＰＵに接続され印字後の記録紙にラミネートを行うサーマルヘッド部（後述）に制御信号を与え、サーマルヘッドを制御するラミネート制御部、１０９は光沢や可視光、紫外線、オゾン、ガス等からの影響が原因となる色褪せ等の耐候性を向上させる為に、印字後の記録紙に転写シート上に塗られた透明保護層を印字媒体に転写させるサーマルヘッドで、熱を加える事で転写シート上の透明保護層を記録紙に転写する。
【００１６】
次に図２を用いて本実施例における簡単なメカ構成を説明する。２００は横幅Ａ４サイズの印字媒体がロール状に巻かれたロール紙カートリッジ、２０１はカット紙を供給するカット紙カセット、２０２はロール紙を印字部まで送る給紙ローラ、２０３は１スキャン印字毎に副走査方向へ一定間隔ずつ記録紙を送るＬＦローラ、２０４は実際にインクを吐出し印字を行うキャリッジ、２０５は印字後のロール紙を一定間隔にカットするカッター、２０６は印字後、カット後の媒体をスイッチバック部（後述）に送る紙送りローラ、２０７は紙送りローラからの媒体を上流側へ方向転換する為のスイッチバックローラ、２０８は定着ユニット（後述）へ媒体を搬送する定着送りローラ、２０９は印字後媒体の表面上に透明保護層を形成する定着ユニット部で、２１０の熱転写フィルム供給ローラ、２１１のプラテンローラ、２１２のサーマルヘッド、２１３の熱転写フィルム巻き取りローラで構成される。
【００１７】
２１４は定着ユニットで定着済みの記録媒体を排紙する為の排紙ローラ、２１５は印字定着後の印字媒体を２０５のカット方向に対し垂直に、所定の大きさにカットする縦切カッターユニット、２１６は画像形成及び熱転写後の印字媒体をストックするスタッカである。
【００１８】
次に動作を説明する。
【００１９】
まずプリンタのパワーオン後にＣＰＵ１０１は各種モータ１０６、ヘッド１０４、定着ユニット２０９のイニシャライズを行い印字待機状態でＨＯＳＴ１００からの印字開始コマンドを待機する。ＨＯＳＴ１００は内部でのプリントジョブの発行後に画像処理ＩＣ１０２に対し印字開始コマンドを発行する。ＣＰＵ１０１は画像処理ＩＣ１０２を介して印字開始コマンドを受信し、モータ−センサ制御部１０５を介して、ロール紙カートリッジ２００及び給紙ローラ２０２を回転させロール紙を給紙する。
【００２０】
引き続きＣＰＵ１０１はＨＯＳＴ１００から印字サイズコマンド、印字枚数コマンドを受信する。本実施例では画像サイズをＬ版、印字枚数を１枚とする。引き続きＨＯＳＴ１００は各コマンド転送後に画像データの転送を開始する。画像処理ＩＣ１０２に対しハンドシェイクを行いながら各色、各ライン毎に２値化された横並び（ラスター方向）の画像データを３２ｂｉｔ単位で転送する。
【００２１】
画像処理ＩＣ１０２は１ラインの画像データを一度内部で受信し、画像メモリに転送する。同様にＨＯＳＴ１００から転送される画像データを１ライン毎に画像メモリに転送する。画像処理ＩＣ１０２は画像メモリに転送される画像データは実際にインクを吐出するヘッド１０４のノズルの並びに対し、垂直の方向に展開されているので、画像メモリに３２ライン分の画像データが展開される毎に、ノズルの並びと同じ方向（副操作方向）に並び換える為のＨＶ変換を行う。
【００２２】
以上を繰り返しＨＶ変換後の画像データがヘッド１０４のノズル数と同等かそれ以上の画像データが蓄えられたところで印字行程を開始する。尚本実施例ではヘッド１０４のノズルは副走査方向に１２８０のノズルがあるものとし、１スキャン（キャリッジを主走査方向に一回走査すること）すると副走査方向に１２８０ｄｏｔ幅の印字を行う。
【００２３】
ＣＰＵ１０１０は画像処理ＩＣ１０２に印字開始位置と印字幅を設定する。尚一枚目の印字開始位置はＡ４サイズの記録媒体の左端（０ｘ００ｈ）にセットし、印字幅はＨＯＳＴ１００からコマンドとして転送される０ｘ１６０８をセットする（Ｌ版サイズは８９ｍｍで、本実施例におけるプリンタの印字解像度を１２００ｄｐｉとすると約４２００ｄｏｔなので１６進法で０ｘ１０６８）。ＣＰＵ１０１は画像処理ＩＣ１０２の印字開始アドレス（画像メモリ内の印字を開始するアドレス）を各色毎に設定し、印字開始レジスタ（不図示）をアクセスし画像の印字を開始する。画像処理ＩＣ１０２はＣＰＵ１０１にセットされたアドレスを基に画像メモリをアクセスし所定のアドレスから画像データを引き出す。ＣＰＵ１０１は以上の印字開始初期設定の後にモータ−センサ制御部１０５を介して、ヘッド１０４が実装されたキャリッジを印字方向に移動させる。
【００２４】
次に画像処理ＩＣ１００２はキャリッジの位置センサ（不図示）を基に内部でキャリッジの位置を管理しつつ、印字開始位置にキャリッジが移動するタイミングで、画像メモリより読み出した画像データをヘッド１０４に転送し、さらに制御信号を出力しインクを吐出する。繰り返しキャリッジの位置が更新されると適した画像データを画像メモリより読み出し、ヘッドに転送し吐出する。
【００２５】
以上の様にキャリッジを動かし１スキャンすると、ヘッドの位置情報に基づき画像処理ＩＣ１０２は適した画像データをヘッド１０４に転送し、Ｌ版横幅分４２００ｄｏｔ×１２８０ｄｏｔの印字を行う。次にＣＰＵ１０１、モータ−センサ制御部１０５を介して、ＬＦモータを動かし記録媒体を１２８０ｄｏｔ分副走査方向に移動させ、同じ様にヘッド１０４をスキャンさせて印字を行う。以上を繰り返しＬ版８９ｍｍ×１２７ｍｍの印字を行うと、図３の様にＡ４短手方向の幅２１０ｍｍを持つ記録媒体に対し、左端からＬ版サイズの画像（図の灰色の部分）が形成される。
【００２６】
ＣＰＵ１０１はＬＦローラ２０３を回転させ、印字後の記録媒体を画像の終端の位置でカッター２０５でカットし、さらにカット後の記録媒体を紙送りローラ２０６でスイッチバックローラ２０７に送る。ＣＰＵ１０１はスイッチバックローラ２０７を定着ユニット部２０９に方向転換させ、定着ユニット部２０９へ記録媒体を送り定着行程を開始する。
【００２７】
次に図４、図５を用いて定着ユニット部２０９における熱転写制御を説明する。
【００２８】
図４は印字後の記録媒体をサーマルヘッド２１２により、熱転写フィルムを記録媒体に圧着させ、透明保護層を印字面に転写する様子を示す図である。
【００２９】
図の様にサーマルヘッド２１２には１７９２個のヒータで構成され任意の位置に透明保護層を転写する事が可能で、図の左端のヒータからｈｅ０、ｈｅ１、…ｈｅ１７９１とする。また１７９２個のヒータは４４８個ずつ４分割に分けられ、それぞれＳＴＢ１，ＳＴＢ２，ＳＴＢ３，ＳＴＢ４の制御信号に対応する。
【００３０】
図５はサーマルヘッド駆動時の制御信号を示すタイミングチャートである。ＤＩ信号は転写データ信号で、信号状態が“ＨＩＧＨ”でヒータを印加（転写）、“ＬＯＷ”で非印加（転写せず）を示し、ＣＬＫ信号に同期してサーマルヘッド２１２に１７９２個のヒータ分のデータをｈｅ０，ｈｅ１…ｈｅ１７９１の順にシリアル転送する。
【００３１】
ＬＡＴ信号はＣＬＫ信号で転送された転写データをラッチする信号で、１７９２個分の転写データを転送後に出力すると転送された転写データをラッチする。
【００３２】
ＳＴＢ１〜ＳＴＢ４信号はストローブ信号で、ＤＩ信号及びＬＡＴ信号出力後に出力し、それぞれ図４の４分割された領域のさらに転写データが“ＨＩＧＨ”の部分のみヒータを印加し、任意の場所に透明保護層を印字する。
【００３３】
ＣＰＵ１０１は定着ユニット部２０９に送られた印字媒体を定着送りローラ２０８を回転させ、サーマルヘッド２１２の位置（転写位置）に印字媒体を転送する。そして定着制御部に、転写データ、ヒータ印字時間、転写シート送り量、送り時間（速度）のデータをセットし、定着行程を開始させる。定着制御部はＣＰＵ１０１にセットされた定着データを基に転写データ及びＣＬＫをサーマルヘッド２１２に転送する。転写データは２１０ｍｍの記録幅の左端に８９ｍｍのＬ版サイズの画像が形成されているので、ｈｅ０〜ｈｅ７５９までを“ＨＩＧＨ”、ｈｅ７６０〜ｈｅ１７９１までを“ＬＯＷ”の転写データを送る。そして、セットされたヒート印字時間を基にＳＴＢ１〜ＳＴＢ４を出力する。尚ＳＴＢ３とＳＴＢ４の領域はヒータ印加されないので出力しなくてもかまわない。
【００３４】
定着制御部は、熱転写フィルム供給ローラ２１０及び、熱転写フィルム巻き取りローラ２１３を転写シート送り量、送り時間を基に順に転写位置に熱転写フィルムを供給しつつ、さらにＳＴＢ１〜ＳＴＢ４信号の出力を繰り返し、図６の様に画像形成部のみに透明保護層を転写する。すると、ｈｅ７６０〜ｈｅ１７９１の位置の透明保護層はヒートされないので、転写されずに残っている状態である。
【００３５】
以上の様に定着行程を終了すると、排紙ローラ２１４により、縦切カッターユニット２１５の位置まで印字媒体を移動させ、画像が無く透明保護層が転写されていない領域を切り落とし、残った印字媒体をスタッカ２１６に排紙する。またＣＰＵ１０１は内部の記憶手段により、どのサイズの印字を行ったかを記憶する。
【００３６】
以上の様にして、一枚目のＬ版印字を終了し、２枚目の印字コマンド待機状態にする。次にＣＰＵ１０１は、ＨＯＳＴ１００から２枚目の印字コマンドを受信すると、一枚目と同様にイニシャライズ処理を行う。次のＨＯＳＴ１００からの画像サイズコマンドを受信し、画像サイズがＬ版の場合、前回の印字サイズもＬ版サイズだったので以下の様に制御する。
【００３７】
まず、ＣＰＵ１０１はラミネート制御部を介して熱転写フィルム供給ローラ２１０、熱転写フィルム巻き取りローラ２１３を逆方向に回転（転写フィルムを巻き戻す方向）させ、熱転写フィルムを一枚目のＬ版定着行程に使った位置まで巻き戻し、一枚目と同じ様に画像データの受信を開始する。さらにＨＶ変換を行いつつ、画像データが貯まると印字行程を開始する。
【００３８】
ＣＰＵ１０１は画像処理ＩＣ１０２に対して、印字開始位置と印字サイズをセットする。印字開始位置は、一枚目に熱転写を行った熱転写フィルムの領域のうち左半分に塗られていた透明保護層はすでに転写されている状態なので、透明保護層が残っている右側の領域で熱転写を行うべく、Ａ４幅（２１０ｍｍ）の領域の真中より印字を開始する。実際には一枚目同様走査方向の解像度は１２００ｄｐｉなので、真中の位置は４９６０ｄｏｔ目に対応し、ＣＰＵ１０１は画像処理ＩＣ１０２に対し印字開始位置として１３６０ｈをセットし、印字サイズは一枚目と同様Ｌ版サイズなので、０ｘ１０６８をセットする。以上の設定の後、印字行程を行うと、図７の様に横幅２１０ｍｍの領域の右半分に画像が形成される。
【００３９】
画像形成後カッター２０５により走査方向にカットし一枚目と同様スイッチバック部を経由して、定着行程を開始する。現在定着ユニット内の熱転写フィルムの位置は一枚目に転写を行った位置と同じ位置であり、右半分の領域にのみ透明保護層が存在しており、また記録媒体にも透明保護層が存在する領域に対応した部分に画像が形成されているので、一枚目と同様に画像形成部のみにラミネートを行う。
【００４０】
ＣＰＵ１０１はラミネート制御部を介し、ｈｅ０〜ｈｅ８９５までを“ＬＯＷ”、ｈｅ８９６〜ｈｅ１６５５を“ＨＩＧＨ”、ｈｅ１６５５〜１７９１を“ＨＩＧＨ”のデータを転送する。ラミネート制御部はＬＡＴ信号を出力し、さらにＳＴＢ１〜ＳＴＢ４を繰り返し出力し、図８の様に記録用紙右半分に形成されたＬ版サイズの画像に透明保護層を転写する。そして排紙ローラ２１４により、縦切カッターユニット２１５の位置まで印字媒体を移動させ、画像が無く透明保護層が転写されていない領域を切り落とし、残った印字媒体をスタッカ２１６に排紙する。
【００４１】
以上の様に連続して、記録用紙の走査方向の長さに対し、半分以下の画像印字のジョブが来た時には、熱転写フィルムを前回の位置に巻き戻し、透明保護層が残っている領域に対応した位置に画像を形成し、画像形成部にのみに透明保護層を転写する事により、効率的にラミネートを行う事ができる。
【００４２】
（実施例２）
次に本発明における第二の実施例を説明する。メカ的構成及び電気的手段は、実施例１と同様であるので省略する。
【００４３】
実施例１においては、Ｌ版サイズの印字ジョブが連続して発行された場合の実施例だったが、実施例２においては、Ｌ版及びＡ４印字が混在した場合、さらには複数枚の連続印字ジョブが発行された時にも効率的に画像形成及び熱転写を行う。
【００４４】
図９に実施例２におけるフローチャートを示し、その図を用いて実施例２の詳細を説明する。
【００４５】
まずプリンタのパワーＯＮ後、各イニシャライズ後にＨＯＳＴ１００からのコマンド待機になる（９００）。次にＨＯＳＴ１００からの印字コマンドを受信後（９０１）、転写フィルム状態をロードする（９０２）。転写フィルム状態とは、ＣＰＵ１０１内部もしくは外部に実装される書き換え可能なＲＯＭに記憶され使用されたフィルムの状態を示すテーブルであり、例として図１０の様な物である。
【００４６】
使用済みのフィルム状態としては、図１０の様に、あるフィルムの位置に対し、どの領域（本実施例の場合右半分と左半分）の透明保護層が転写済みか、もしくは非転写かの情報を示し、図１０の場合だと次に印字を行う画像サイズがＬ版だとすると、熱転写フィルムをＡの位置まで戻し、右側の領域を利用し定着行程を行う事が可能である。また、転写フィルム状態は、すでに使用済みで利用できない領域は記憶する必要はなく、また印字終了後により、熱転写領域により転写フィルム状態の情報を追加していく。
【００４７】
（９０２）で転写フィルム状態をロード後に、ＨＯＳＴ１００からの画像サイズコマンドを受信する（９０３）。ここで画像サイズがＡ４サイズであれば画像形成、定着行程に全領域を利用するので、通常印字及び熱転写行程を行い（９１０）、ＲＯＭに熱転写情報として熱転写を行ったフィルムの位置情報と左右領域熱転写済みの情報を記録する（９０９）。（９０３）で画像サイズがＬ版だった場合、（９０４）に進みＨＯＳＴ１００からのコマンドにより複数枚連続印字の判断を行う。複数枚連続印字であった場合（９１１）に進み、図１１の様に２つずつＬ版の画像を形成して全領域に対し定着行程を行い、縦切カッターユニット２１５により複数のＬ版サイズの画像を出力する。そして現在行った熱転写の情報を同じ様に記録する（９０９）。また３枚以上の複数連続印字をする場合には、最初の印刷時のみ、非転写領域がない場合は図３の様に左側に、転写領域がある場合には図７の様に画像を形成し、２番目以降を図１１の様に複数のＬ版画像を形成する事により、最初の画像出力時間を短くする事が可能となるのでこの様な制御を入れても良い。
【００４８】
（９０４）で一枚印字の場合、（９０５）に進み（９０２）でロードした転写フィルム状態により、以前利用した転写領域の右側に未使用領域が無い場合、（９１０）に進み通常に印字を行い、その時熱転写を行ったフィルムの位置と右側に非転写領域の情報を記録する（９０９）。（９０５）で以前に非転写領域が存在した場合、その位置まで熱転写フィルムを巻き戻し（熱転写フィルムの状態が図１０の様なテーブルだった場合Ａの位置まで巻き戻す）（９０６）、さらに実施例１と同様に、画像を記録媒体の右側半分に形成し（９０７）、非転写領域を利用して熱転写を行う（９０８）。
【００４９】
以上の様に、書き換え可能なＲＯＭに画像出力後に熱転写フィルムの非転写領域を記憶しつつ、必要時には熱転写フィルムを巻き戻し定着を行い、さらに複数枚連続印字の時も、記録媒体に画像を効率よく形成することで、熱転写フィルム更には記録媒体まで効率良く利用できる。また熱転写フィルム状態はＲＯＭに記録されているので、プリンタの電源を切っても、転写フィルムの非転写領域は残っているので、途中でプリンタの電源を切っても、正常に転写フィルムの転写状態を知ることができる。
【００５０】
【発明の効果】
以上説明した様に、本発明に係わる発明によれば、画像形成された記録媒体における画像領域部分に対して、所定物質が全面に付着されているフィルム状の前記画像領域部分に対応した領域部分の所定物質を定着させる定着手段と、前記定着手段による定着処理にて使用済みの前記フィルム状の前記画像領域部分に対応した前記領域部分以外の他の領域部分に付着された所定物質を、前記記録媒体に後続して前記定着手段により定着処理される記録媒体の画像領域部分に対して定着させるよう作用する事で、効率良く転写フィルム及び記録媒体を利用する事ができる。
【図面の簡単な説明】
【図１】実施例１、２の簡単なブロック図
【図２】実施例１、２の簡単なメカ構成図
【図３】実施例１の一枚目の画像形成位置を示す図
【図４】実施例１、２におけるサーマルヘッドの構成図
【図５】実施例１、２におけるサーマルヘッド制御のタイミングチャート
【図６】実施例１における定着行程の様子１を示す図
【図７】実施例１の二枚目の画像形成位置を示す図
【図８】実施例１における定着行程の様子２を示す図
【図９】実施例２における画像形成及び定着制御のフローチャート
【図１０】実施例２における熱転写フィルム状態テーブルを示す図
【図１１】実施例２における複数枚印刷時の画像形成位置を示す図
【符号の説明】
１００  ＨＯＳＴ
１０１  ＣＰＵ
１０２  画像処理ＩＣ
１０３  画像メモリ
１０４  ヘッド
１０５  モータ−センサ制御部
１０６  各種モータ
１０７  各種センサ
１０８  ラミネート制御部
１０９  サーマルヘッド
２００  ロール紙カートリッジ
２０１  カット紙カセット
２０２  給紙ローラ
２０３  ＬＦローラ
２０４  キャリッジ
２０５  カッター
２０６  紙送りローラ
２０７  スイッチバックローラ
２０８  定着送りローラ
２０９  定着ユニット部
２１０  熱転写フィルム供給ローラ
２１１  プラテンローラ
２１２  サーマルヘッド
２１３  熱転写フィルム巻き取りローラ
２１４  排紙ローラ
２１５  縦切カッターユニット
２１６  スタッカ
【図１】
2004195849.tif 000003
【図２】
2004195849.tif 000004
【図３】
2004195849.tif 000005
【図４】
2004195849.tif 000006
【図５】
2004195849.tif 000007
【図６】
2004195849.tif 000008
【図７】
2004195849.tif 000009
【図８】
2004195849.tif 000010
【図９】
2004195849.tif 000011
【図１０】
2004195849.tif 000012
【図１１】
2004195849.tif 000013